(57)【要約】本発明は、歯間洗浄部材及びこれの製造方法に関するものであって、さらに詳しくは、歯茎を傷めることなく、歯と歯の間の食物残渣を容易に除去可能な歯間洗浄部材及びこれの製造方法に関するものである。【選択図】図３
2013529101.tif 000002
【特許請求の範囲】
【請求項１】
歯と歯の間の異物を除去するための洗浄部材において、
１ｃｍないし１５ｃｍの長さを持つ原糸からなった毛を含み、
上記毛は、１０％ないし８０％の屈曲回復率を有し、毛の長手方向に沿って毛の少なくとも先端部分がテーパ形状を持ち、上記テーパ部分の先端から０．１ｍｍ付近の直径が０．００１ｍｍないし２ｍｍであることを特徴とする歯間洗浄部材。
【請求項２】
上記原糸の直径は、０．５ｍｍないし３ｍｍであることを特徴とする請求項１に記載の歯間洗浄部材。
【請求項３】
上記原糸は、凹凸形状または波形状を持つことを特徴とする請求項１に記載の歯間洗浄部材。
【請求項４】
上記テーパ部分には、傾斜面が不規則な面からなった屈曲部が形成されたことを特徴とする請求項１に記載の歯間洗浄部材。
【請求項５】
上記原糸は、ナイロン系及びポリエステル系物質群のうちいずれか１つからなり、
上記原糸の原料に機能性物質が選択的にさらに添加されるが、
上記機能性物質は、炭酸カルシウム及びシリカの無機物であることを特徴とする請求項１ないし請求項４のうちいずれか１項に記載の歯間洗浄部材。
【請求項６】
上記毛に機能性成分が含有された成分層が形成され、
上記機能性成分は、フッ素成分、抗菌剤成分、香成分、色素成分のうち少なくともいずれか１つの成分からなることを特徴とする請求項１ないし請求項４のうちいずれか１項に記載の歯間洗浄部材。
【請求項７】
（ａ）紡糸を通じて原糸を延伸するステップと、
（ｂ）上記原糸を１ｃｍないし１５ｃｍの長さを持つように切断して形成された毛の長手方向に沿って毛の少なくとも先端部分がテーパ形状を持つようにテーパ加工するステップと、
（ｃ）水洗及び乾燥するステップとを含み、
上記毛は、１０％ないし８０％の屈曲回復率を有し、上記テーパ加工により形成されたテーパ部分の先端から０．１ｍｍ付近の直径が０．００１ｍｍないし２ｍｍであることを特徴とする歯間洗浄部材の製造方法。
【請求項８】
上記（ｂ）のテーパ加工ステップは、
毛を強アルカリまたは強酸に浸漬してテーパ加工する方法と、研磨機を利用してグラインディングしてテーパ加工する方法の中でいずれか１つの方法を選択して行うか、二つの方法を順次行って、上記テーパ部分には、不規則な面からなった屈曲部が形成されることを特徴とする請求項７に記載の歯間洗浄部材の製造方法。
【請求項９】
上記（ａ）ステップにおいて、原糸の製造時、ナイロン系及びポリエステル系物質群のうちいずれか１つの物質を原料として使い、
上記原糸の製造時、原料に機能性物質を選択的に添加して行うが、
上記機能性物質は、炭酸カルシウム及びシリカの無機物であることを特徴とする請求項７または請求項８に記載の歯間洗浄部材の製造方法。
【請求項１０】
上記（ｂ）ステップの以後に、
毛を機能性成分が含有された溶液に浸漬して成分層を形成するステップをさらに行うが、
上記機能性成分は、フッ素成分、抗菌剤成分、香成分、色素成分のうち少なくともいずれか１つの成分からなることを特徴とする請求項７または請求項８に記載の歯間洗浄部材の製造方法。
【発明の詳細な説明】
【技術分野】
【０００１】
本発明は、歯間洗浄部材及びその製造方法に関するものであって、さらに詳しくは、歯茎を傷めることなく、歯と歯の間の食物残渣を容易に除去可能な歯間洗浄部材及びその製造方法に関する。
【背景技術】
【０００２】
一般に、食べ物を摂取した後、一般の歯ブラシでは磨き難い歯と歯の間の異物を除去するために、一端あるいは両端が鋭く形成された楊枝または歯間ブラシを使って歯間の異物を除去する。すなわち、楊枝や歯間ブラシは虫歯と歯周疾患の予防に使われる。
【０００３】
より具体的に、楊枝は、木、プラスチック、澱粉などから製作されており、歯と歯の間の食物残渣を除去する際に使われる。このとき、歯間の間隔が狭ければ、鋭い楊枝の端部が歯間に入りにくいことから食物残渣がしっかり除去されず、硬くて尖った先端部は折れやすいという問題点により使用者に不便さを与えていた。
【０００４】
これを解決するために、ブラシが装着された歯間ブラシが製作され使われている。図１に示すように、歯間ブラシ１０は、使用者が手で把持できる取手部１１と、上記取手部１１の一側端部に形成されたブラシ部１２と、上記ブラシ部１２を保護するカバー１５とを含む。
【０００５】
上記ブラシ部１２は、２つのワイヤ（針金）が捩れて形成されたワイヤ部１３と、上記ワイヤ部１３の長手方向に沿って一定の間隔で形成されたブラシ１４とを備える。すなわち、上記ワイヤ部１３が歯と歯の間の隙間を出入りする動作に従って、ブラシ１４によって食物残渣が除去される。
【０００６】
しかし、上記のようなブラシ１４が装着された歯間ブラシ１０の場合には、ワイヤ部１３にブラシ１４を植える作業により生産コストが高くなるので市場競争力がなく、またワイヤの金属性は使用者に異質感を与えるので不快であるという問題点がある。
【０００７】
また、ワイヤ部１３は、厚いワイヤを捩って製作されるので、狭い歯間に入りにくいことから、きれいな洗浄が難しいという問題点がある。さらに、硬い強度を有するワイヤによって歯茎が傷つく場合が頻繁に発生する。
【０００８】
このような従来の楊枝や歯間ブラシは、歯間の異物を容易に除去することが難しく、歯茎を傷めて疾病の原因になるか、長期的には口腔内の歯の構造が悪くなる原因になり得る。
【０００９】
加えて、ブラシと楊枝の材質を同一のものにして楊枝の端部にブラシが形成されるように射出成型する場合、楊枝の端部に複数のブラシを同時に微細に成形できないので、歯間ブラシの特性を実現しにくいという問題点がある。
【発明の概要】
【発明が解決しようとする課題】
【００１０】
本発明は、上述のような問題点を解決するために創案されたものであって、歯茎への刺激を最小化すると共に、歯間の食物残渣などの異物を容易に除去可能な歯間洗浄部材及びその製造方法を提供することにその目的がある。
【課題を解決するための手段】
【００１１】
上記目的を達成するために、本発明の歯間洗浄部材は、歯と歯の間の異物を除去するための洗浄部材であって、１ｃｍないし１５ｃｍの長さを持つ原糸からなった毛を含み、上記毛は、１０％ないし８０％の屈曲回復率を有し、毛の長手方向に沿って毛の少なくとも先端部分がテーパ形状を持ち、上記テーパ部分の先端から０．１ｍｍ付近の直径が０．００１ｍｍないし２ｍｍであることを特徴とする。
【００１２】
本発明によれば、上記原糸の直径は０．５ｍｍないし３ｍｍであり、上記原糸は凹凸形状または波形状を持つことが望ましい。
【００１３】
望ましくは、上記テーパ部分には、傾斜面が不規則な面からなった屈曲部が形成される。
【００１４】
一方、上記原糸は、ナイロン系及びポリエステル系物質群のうちいずれか１つからなり、上記原糸の原料に機能性物質が選択的にさらに添加されるが、上記機能性物質は、炭酸カルシウム及びシリカの無機物であることが望ましい。
【００１５】
また、上記毛に機能性成分が含有された成分層が形成され、上記機能性成分は、フッ素成分、抗菌剤成分、香成分、色素成分のうち少なくともいずれか１つの成分からなることが望ましい。
【００１６】
本発明がなそうとする技術的課題の達成のために提供される歯間洗浄部材の製造方法は、（ａ）紡糸を通じて原糸を延伸するステップと、（ｂ）上記原糸を１ｃｍないし１５ｃｍの長さを持つように切断して形成された毛の長手方向に沿って毛の少なくとも先端部分がテーパ形状を持つようにテーパ加工するステップと、（ｃ）水洗及び乾燥するステップとを含み、上記毛は、１０％ないし８０％の屈曲回復率を有し、上記テーパ加工により形成されたテーパ部分の先端から０．１ｍｍ付近の直径が０．００１ｍｍないし２ｍｍであることを特徴とする。
【００１７】
本発明によれば、上記（ｂ）のテーパ加工ステップは、毛を強アルカリまたは強酸に浸漬してテーパ加工する方法と、研磨機を利用してグラインディングしてテーパ加工する方法の中でいずれか１つの方法を選択して行うか、二つの方法を順次行って、上記テーパ部分には、不規則な面からなった屈曲部が形成される。
【００１８】
一方、上記（ａ）ステップにおいて、原糸の製造時、ナイロン系及びポリエステル系物質群のうちいずれか１つの物質を原料として使い、上記原糸の製造時、原料に機能性物質を選択的に添加して行うが、上記機能性物質は、炭酸カルシウム及びシリカの無機物であることが望ましい。
【００１９】
また、上記（ｂ）ステップ以後に、毛を機能性成分が含有された溶液に浸漬して成分層を形成するステップをさらに行うが、上記機能性成分は、フッ素成分、抗菌剤成分、香成分、色素成分のうち少なくともいずれか１つの成分からなることが望ましい。
【図面の簡単な説明】
【００２０】
本発明は、以下の図面によって具体的に説明されるが、このような図面は本発明の望ましい実施例を例示するものであるので、本発明の技術思想がそのような図面にのみ限定されて解釈されてはいけない。
【００２１】
【図１】従来の歯間ブラシを示す斜視図。
【図２】本発明の望ましい実施例による歯間洗浄部材の原糸を示す側面図。
【図３】本発明の望ましい実施例による歯間洗浄部材を示す側面図。
【図４】本発明の望ましい他の実施例による歯間洗浄部材を示す側面図。
【図５】本発明の望ましい実施例による歯間洗浄部材の他の原糸を示す図面。
【図６】本発明の望ましい他の実施例による歯間洗浄部材を示す断面図。
【図７】本発明の望ましい実施例による歯間洗浄部材を製造する方法を説明するためのフローチャート。
【発明を実施するための形態】
【００２２】
以下、添付した図面を参照しながら本発明の望ましい実施例を詳しく説明する。これに先立って、本明細書及び請求範囲に使われた用語や単語は通常的や辞書的な意味に限定して解釈されてはいけず、発明者は自らの発明を最善の方法で説明するために用語の概念を適切に定義することができるという原則に則して、本発明の技術的思想に合致する意味と概念とに解釈されなければならない。従って、本明細書に記載された実施例は本発明の最も望ましい一実施例に過ぎず、本発明の技術的思想の全てを代弁するものではないため、本出願時点においてこれらに代替できる多様な均等物と変形例があり得ることを理解しなければならない。
【００２３】
図２は、本発明の望ましい実施例による歯間洗浄部材の原糸を示す側面図であり、図３は、本発明の望ましい実施例による歯間洗浄部材を示す側面図である。
【００２４】
図２及び図３を参照すれば、歯間洗浄部材１００は、所定の長さ及び所定の直径を持つように延伸された原糸からなった毛１１０を含む。
【００２５】
上記毛１１０は、毛１１０の長手方向に沿って毛１１０の少なくとも先端部分がテーパ形状を持ち、１０％ないし８０％の屈曲回復率を有する。このとき、原糸１１１とは、紡糸され延伸された状態を意味し、上記毛１１０とは、テーパ形状を持つように原糸１１１が後述するテーパ加工された状態を意味する。
【００２６】
すなわち、原糸１１１は図２に示すように、紡糸を通じて形成されたものであり、毛１１０は図３に示すように、テーパ形状を持つように形成されたものである。ここで、毛１１０は、図３に示すように先端部の一部分がテーパ形状に形成されるか、図４に示すように、毛１１０’が全体的にテーパ形状に形成され得る。以下では、このような毛１１０・１１０’のテーパ部分をテーパ部１１２・１１２’とする。
【００２７】
また、図２及び図３を参照すれば、毛１１０は、前述のように延伸された原糸１１１を所定の長さを持つように切断した後テーパ加工することで形成される。上記テーパ加工方法については後述する。
【００２８】
本発明による毛１１０は、ナイロン（ｎｙｌｏｎ）系及びポリエステル（ｐｏｌｙｅｓｔｅｒ）系物質群のうちいずれか１つの物質を原料としてなる。上記ポリエステル系物質としては、ポリエチレンテレフタレート（ｐｏｌｙｅｔｈｙｌｅｎｅ ｔｅｒｅｐｈｔｈａｌａｔｅ、ＰＥＴ）、ポリブチレンテレフタレート（ｐｏｌｙｂｕｔｙｌｅｎｅ ｔｅｒｅｐｈｔｈａｌａｔｅ、ＰＢＴ）、ポリトリメチレンテレフタレート（ｐｏｌｙｔｒｉｍｅｔｈｙｌｅｎｅ ｔｅｒｅｐｈｔｈａｌａｔｅ、ＰＴＴ）のうちいずれか１つであることが望ましい。
【００２９】
付加的に、上記原料に機能性物質をさらに添加して原糸１１１を製造し得る。上記機能性物質は、炭酸カルシウム及びシリカの無機物であることが望ましい。上記のような機能性物質の添加は、後述するテーパ加工時にテーパ部分の表面に、粗い表面を容易に形成するためである。
【００３０】
上記のような物質で紡糸された原糸１１１は、延伸されることで適当な弾力及び柔軟性を持つ長所がある。すなわち、毛１１０は、材質の特性及び延伸加工によって１０％ないし８０％の屈曲回復率を有する。
【００３１】
上記屈曲回復率の数値範囲に関し、上記屈曲回復率が１０％未満であれば、原糸１１１が硬すぎて柔軟性が低下して歯間の異物を除去するとき歯茎を刺激して傷つけるおそれがあるので望ましくなく、上記屈曲回復率が８０％を超えれば、原糸１１１がやわらかすぎて力の伝達が円滑に行われないので原糸１１１を歯間へと導きにくいことから望ましくない。
【００３２】
このような原糸１１１は、延伸した後の直径（Ｄ）が０．５ｍｍないし３ｍｍであり、長さは１ｃｍないし１５ｃｍになるように切断する。このとき、原糸１１１の長さは、２ｃｍないし１５ｃｍであることが望ましい。さらに望ましくは、上記原糸１１１が３ｃｍないし１５ｃｍの長さを持つように切断される。
【００３３】
ここで、延伸された原糸１１１の直径（Ｄ）は、０．５ｍｍないし２ｍｍであることがさらに望ましい。このような原糸１１１の直径（Ｄ）（厚さ）は、使用者が歯間洗浄部材１００を容易に把持するための厚さである。なお、毛１１０は、原糸１１１からなるので、原糸１１１の直径（Ｄ）が毛１１０の直径（Ｄ）であると解釈されても問題ない。
【００３４】
上記原糸１１１の直径（Ｄ）の数値範囲に関し、上記原糸１１１の直径（Ｄ）が３ｍｍを超えれば、原糸１１１の原料であるナイロン系及びポリエステル系物質の特性上、原料を紡糸して延伸しにくく、後述するテーパ加工において所望の形態及び所望の物性を得ることが難しいので望ましくなく、上記原糸１１１の直径（Ｄ）が０．５ｍｍに達していなければ、延伸された原糸１１１が細すぎるので使用者が把持しにくく、やわらかすぎて力の伝達が円滑に行われないので歯間の洗浄用として使うのに適していないことから望ましくない。
【００３５】
また、上記毛１１０の長さに関し、上記毛１１１の長さが１５ｃｍを超えれば、毛１１０が無駄に長くなって材料の浪費が増加するので望ましくなく、上記毛１１０の長さが１ｃｍに達していなければ、毛１１０の長さが短すぎて手で把持して使うとき不便であるので望ましくない。
【００３６】
本発明によれば、テーパ部１１２は、化学的加工方法及び／又は機械的加工方法に従って形成される。このとき、テーパ加工され形成されたテーパ部１１２は、毛１１０の先端から０．１ｍｍ離れた付近の直径（ｄ）が０．００１ｍｍないし２ｍｍの直径（ｄ）を持つ。
【００３７】
このような直径（ｄ）は、歯間洗浄部材１００を歯間へと容易に到達させるための厚さを持つようにする。
【００３８】
一方、テーパ部１１２は、１ｃｍないし１５ｃｍの長さを持ち得る。すなわち、上記のような長さを持つことで、テーパ部１１２が毛１１０の全体または一部分に形成される。例えば、図４に示すように、テーパ部１１２’が毛１１０’の全体にわたって形成される場合、歯間洗浄部材１００’は全体的にテーパ形状に形成される。
【００３９】
上記テーパ部１１２・１１２’は、毛１１０の中心から０．３度ないし１２度の傾斜角（θ）を持つ。
【００４０】
上記傾斜角（θ）の数値範囲に関し、上記傾斜角（θ）が０．３度未満であれば、テーパ部１１２・１１２’の長さが１５ｃｍを超えてしまうので望ましくなく、これによって、テーパ加工工程及び工程時間が適切でないので望ましくない。また、上記傾斜角（θ）が１２度を超えれば、求められるテーパ部１１２・１１２’の長さに対してテーパ加工される長さが短くなるので、歯間の洗浄用器具として使いにくくて望ましくない。
【００４１】
一方、上記テーパ部１１２・１１２’の傾斜した面には、凸凹な多様なパターンを持つ屈曲部１２０が形成される。すなわち、傾斜した面は、凹凸柄などの不規則な面を持つ。これによって、歯間の洗浄時、洗浄効果が向上する。
【００４２】
付加的に、上記のような歯間洗浄部材１００・１００’は、紡糸を通じて延伸された原糸１１１の断面が円形である円柱形状を持つと説明されたが、これに限定されず、断面が楕円形などの多様な形状を持ち得る。
【００４３】
例えば、図５に示すように、原糸１１１ａ・１１１ｂは、凹凸形状や波形状を持つように形成し得る。すなわち、原料を紡糸後延伸する過程で、紡糸速度対比延伸速度、または紡糸される原料の通過孔に従って原糸を多様な形態で抽出できる。また、延伸後の原糸の断面は円形または楕円形を持ち得、紡糸時に円形または多角形状を持つ通過孔を利用して多様な形態の原糸を得ることができる。このように多様な形状を持つように原糸を形成することは、使用者が容易に把持できるようにするためである。
【００４４】
一方、上記毛１１０・１１０’は、原糸１１１が紡糸されて単層になっていると説明されたが、毛１１０・１１０’に機能性成分が含有された成分層がさらに形成され得る。例えば、図６に示すように、毛１１０’’は、原糸からなった中心部１１０ａ’’と、機能性成分からなった成分層１１０ｂ’’とで構成される。このとき、上記中心部１１０ａ’’は、前述の原糸１１１と同一の材質及び同一の形状を持ち、上記成分層１１０ｂ’’は、フッ素成分、抗菌剤成分、香成分、色素成分のうち少なくともいずれか１つの成分からなる。
【００４５】
このような成分層１１０ｂ’’は、毛１１０’’の長手方向に沿って毛１１０’’の少なくとも先端部分を機能性成分からなった溶液に浸漬して形成するか、機能性成分を塗布して形成し得る。また、原糸を紡糸するとき、二重紡糸をすることでも形成し得る。
【００４６】
上記のような成分層１１０ｂ’’が形成されることで、歯や歯茎の健康に役に立ち、使用感を向上させるだけでなく、洗浄部材の美観を向上させることができる。
【００４７】
以下、上述のような歯間洗浄部材１００を製造する方法に対して説明する。
【００４８】
図７は、歯間洗浄部材を製造する方法を説明するためのフローチャートである。
【００４９】
まず、ナイロン系及びポリエステル系物質群のうちいずれか１つの物質を原料として使って紡糸を通じて原糸１１１を製造する（Ｓ１０）。ここで、原糸１１１を紡糸する際、延伸する加工を共に行うことが望ましい。
【００５０】
上記原糸１１１は、延伸過程を通じて０．５ｍｍないし３ｍｍの直径を持つように形成された後、所定の長さに切断される。例えば、上記所定の長さは、１ｃｍないし１５ｃｍである。
【００５１】
次いで、切断された原糸１１１をテーパ加工する（Ｓ２０）。このとき、上記テーパ加工は、化学的方法や機械的方法に従って行われ得る。
【００５２】
まず、原糸１１１にテーパ部１１２を形成するための加工の中で、化学的方法による加工について説明する。
【００５３】
切断された原糸１１１を強アルカリまたは強酸からなる溶液に垂直に浸漬する。このとき、テーパ部１１２を形成しようとする長さ分原糸１１１を浸漬する。すなわち、強アルカリまたは強酸は、一定の温度及び濃度で浸漬された原糸１１１をテーパ加工することになる。このようなテーパ加工は、溶液によって毛が徐々に分解される過程を経ながらテーパ部が形成されるのである。
【００５４】
一方、毛先のみを浸漬しても毛細管現象によって溶液が毛の表面に沿って上昇するようになる。すなわち、テーパ加工が長さによる時間差を有するようになることで、毛にテーパ部が形成されるようになる。
【００５５】
このとき、テーパ加工を通じてテーパ部１１２を形成することはもちろん、テーパ部１１２に屈曲部１２０を形成することができる。このとき、上記屈曲部１２０を容易に形成するために、原糸１１１の原料に機能性物質を添加し得る。例えば、原糸１１１の原料に機能性物質である炭酸カルシウム及びシリカなどの無機物を添加して紡糸した後、強アルカリまたは強酸に浸漬すれば、化学反応が起き表面に０．０１μｍないし０．１ｍｍの直径を持つ屈曲部１２０が形成される。すなわち、物質の特性による化学反応により、屈曲部を容易に形成できるようになる。
【００５６】
このように化学的方法を通じたテーパ加工は、工程上の浸透圧現象によって原糸１１１の表面が傾斜した平らな面、または凸凹な不規則な面が形成されるのである。
【００５７】
上記テーパ加工が完了すれば、苛性ソーダまたは水酸化カリウム溶液で中和させた後、水で洗い（水洗）、乾燥させる工程を行う（Ｓ３０）。上記乾燥工程が完了すれば、歯間洗浄部材１００の製造が完了する。
【００５８】
次いで、原糸１１１にテーパ部１１２を形成するための加工の中で、機械的方法による加工について説明する。
【００５９】
切断された原糸１１１を研磨機（図示せず）を通じてグラインディング（研磨）することでテーパ加工する。すなわち、原糸１１１の一部または全体に対してテーパ形状を持つようにグラインディングする。このようなグラインディング加工は、化学的テーパ加工と類似に毛１１０の形状をテーパ形状に形成することができる。
【００６０】
上記テーパ加工が完了すれば、水洗及び乾燥させて歯間洗浄部材の製造が完了する。
【００６１】
一方、機械的加工は、化学的加工に比べてテーパ部１１２の長さが短くなるので、やわらかさは減少するようになる。但し、テーパ面が不規則的に形成されるので、歯間洗浄の効果は向上する長所がある。
【００６２】
したがって、機械的なグラインディングを通じてテーパ部１１２を形成する場合、その長さが短くなることを改善するために、まず、化学的にテーパ加工を通じて一定の形状を作った後、さらに機械的なグラインディング加工を行うことで、毛１１０の表面を不規則的にすることもよい。これは、機械的加工のみを行った場合よりも、長いテーパ区間を持つことで、弾力性及び可撓性を増大させることができる。
【００６３】
一方、上記のようなテーパ加工を通じて選択的にテーパ部１１２の傾斜角（θ）を調節できる。すなわち、テーパ部１１２の傾斜角（θ）は、毛１１０の長手方向の中心を基準にして、０．３度ないし１２度の傾斜角（θ）を持つようにテーパ加工される。
【００６４】
このように、一定の厚さ及び形状を持つ原糸１１１をテーパ加工すれば、歯間洗浄部材１００は適切な弾力性とやわらかさとを同時に持ち、歯と歯の間、そして歯と歯茎との境界部分に容易に到達して食物残渣などの異物を容易に除去可能な効果を得るようになる。
【００６５】
一方、上記原糸１１１を紡糸し延伸するとき、紡糸速度、延伸速度、紡糸時原料の通過孔を調節することで、多様な形状の原糸（図５の１１１ａ、１１１ｂ参照）が得られ、このような原糸１１１・１１１ａ・１１１ｂを利用して歯間洗浄部材１００を製造し得る。
【００６６】
また、歯や歯茎の健康に役に立ち、使用感を向上させるために、原糸１１１に機能性成分が含有された成分層（図６の１１０ｂ’’参照）を形成して歯間洗浄部材を製造し得る。上記成分層１１０ｂ’’は、例えば、毛を機能性成分に浸漬して形成する。このような成分層１１０ｂ’’は、フッ素成分、抗菌剤成分、香成分、色素成分のうち少なくともいずれか１つの成分からなる。このとき、成分層１１０ｂ’’を形成するステップは、テーパ加工が完了した後行うことが望ましい。
【００６７】
このように製造された毛は、１０％ないし８０％の屈曲回復率を有する。すなわち、上記毛の屈曲回復率は、ＫＳ規格（韓国工業規格）（ＫＳ Ｇ ３１０３：２００３）に従って測定されたものである。
【００６８】
以上のように、本発明は、限定された実施例と図面とによって説明されたが、本発明はこれによって限定されず、本発明が属する技術分野において通常の知識を持つ者により本発明の技術思想と特許請求範囲の均等範囲内で多様な修正及び変形が可能なのは言うまでもない。
【産業上の利用可能性】
【００６９】
本発明による歯間洗浄部材及びこれの製造方法は、次のような効果を奏する。
第一、紡糸を通じて原糸を延伸することで、厚い厚さにも関わらず弾力性及び可撓性に優れている。
第二、テーパ加工を通じて形成されたテーパ部分は、やわらかい柔軟性を持つので、簡単に折れない。
第三、テーパ部分の先端部は非常に細いことから、歯と歯の間、及び、歯と歯茎の間への到達が容易である。
第四、テーパ部分には、不規則な面からなった屈曲部が形成されることによって、洗浄効果が増大する。
第五、生産が容易であるので、生産コストを節減できる。
第六、歯間への到達が容易であり、弾力性及び可撓性の性質を持つことから、歯間ブラシとデンタルフロスの効果を具現できる。
【図１】
2013529101.tif 000003
【図２】
2013529101.tif 000004
【図３】
2013529101.tif 000005
【図４】
2013529101.tif 000006
【図５】
2013529101.tif 000007
【図６】
2013529101.tif 000008
【図７】
2013529101.tif 000009
【国際調査報告】
2013529101.tif 000010
2013529101.tif 000011
2013529101.tif 000012
2013529101.tif 000013